(57)【特許請求の範囲】
【請求項１】
空気吹出口が形成されたベゼルと、前記ベゼルの空気吹出口に連通すると共に前記ベゼルの空気吹出口に向かう方向を通風方向とする通風路が形成されたリテーナと、前記リテーナの通風路内に送り込まれた空気が前記ベゼルの空気吹出口から吹き出す吹出方向を偏向させる平板状の可動フィンと、前記可動フィンの両端において前記通風方向下流側に設けられ、前記可動フィンを回動可能に支持する一対の回動軸と、前記一対の回動軸を結んだ軸線に沿って前記ベゼルの空気吹出口に設けられた固定フィンと、を有し、前記通風方向下流側にある前記可動フィンの縁辺部が前記通風方向上流側にある前記固定フィンの縁辺部と近接した離間状態にあるレジスタであって、
前記可動フィンの両面が前記通風方向に沿って漸次弓なりに曲がった凹曲面であり、
前記通風方向の前記可動フィンの中央付近で前記可動フィンのフィン厚が最小であり、
前記可動フィンは、少なくとも３個以上設けられ、
３個以上の前記可動フィンは、一方向に順番に並んで配置され、間に挟まれた前記可動フィンのうち少なくとも１個の可動フィンにおける前記通風方向に沿った幅を、他の可動フィンの通風方向に沿った幅に比べて短く形成されること、を特徴とするレジスタ。
【請求項２】
空気吹出口が形成されたベゼルと、前記ベゼルの空気吹出口に連通すると共に前記ベゼルの空気吹出口に向かう方向を通風方向とする通風路が形成されたリテーナと、前記リテーナの通風路内に送り込まれた空気が前記ベゼルの空気吹出口から吹き出す吹出方向を偏向させる平板状の可動フィンと、前記可動フィンの両端において前記通風方向下流側に設けられ、前記可動フィンを回動可能に支持する一対の回動軸と、前記一対の回動軸を結んだ軸線に沿って前記ベゼルの空気吹出口に設けられた固定フィンと、を有し、前記通風方向下流側にある前記可動フィンの縁辺部が前記通風方向上流側にある前記固定フィンの縁辺部と近接した離間状態にあるレジスタであって、
前記可動フィンの両面が前記通風方向に沿って漸次弓なりに曲がった凹曲面であり、
前記通風方向の前記可動フィンの中央付近で前記可動フィンのフィン厚が最小であり、且つ、前記通風方向下流側にある前記可動フィンの前記縁辺部において前記可動フィンのフィン厚が最大となること、を特徴とするレジスタ。
【請求項３】
請求項１又は請求項２に記載するレジスタであって、
前記通風方向に沿って切断された前記固定フィンの断面形状は、前記通風方向上流側から前記通風方向下流側に向かって先細りした形状であること、を特徴とするレジスタ。
【請求項４】
請求項１乃至請求項３の何れかに記載するレジスタであって、
前記通風方向下流側にある前記可動フィンの縁辺部と前記通風方向上流側にある前記固定フィンの縁辺部とは平行関係にあること、を特徴とするレジスタ。
【請求項５】
請求項１乃至請求項４の何れかに記載するレジスタであって、
前記可動フィンのフィン厚は、前記通風方向の前記可動フィンの中央付近で最小となり、前記中央付近から、前記固定フィンの前記縁辺部に近接する前記可動フィンの前記縁辺部へ向かうのに従って徐々に厚くなること、を特徴とするレジスタ。
【請求項６】
請求項１乃至請求項５の何れかに記載するレジスタであって、
前記可動フィンの前記縁辺部は、前記固定フィンの前記縁辺部に向かって凸設された曲面を形成され、
前記固定フィンの前記縁辺部は、前記可動フィンの前記縁辺部の形状に合わせて凹設された曲面を形成されること、を特徴とするレジスタ。
【発明の詳細な説明】
【技術分野】
【０００１】
本発明は、固定フィンと可動フィンとを有するレジスタに関するものである。
【背景技術】
【０００２】
従来より、自動車のインストルメントパネルに設けられたレジスタには、例えば、下記特許文献１に記載の技術がある。その技術は、レジスタ内に送り込まれた気流を空気吹出口から吹き出すレジスタであって、空気吹出口から吹き出す気流の方向を偏向させる可動フィン群がレジスタ内に配置されているレジスタにおいて、空気吹出口を複数の部分に区分する固定フィンの後側に可動フィン群が配置され、可動フィン群の各可動フィンの回転軸が固定フィン側に変位していることを特徴とする。
【０００３】
これにより、レジスタの空気吹出口から吹き出す気流の方向を偏向させる可動フィン群がレジスタ内にて空気吹出口を複数の部分に区分する固定フィンの後側に配置され、可動フィン群の各可動フィンの回転軸が固定フィン側に変位しているので、可動フィン群の各可動フィンがその回転軸により回転したときに、各可動フィンで偏向された気流の向きが固定フィンにより偏向前の状態に戻される程度が少なくなる。
【先行技術文献】
【特許文献】
【０００４】
【特許文献１】特開２００６−１７０５０９号公報
【発明の概要】
【発明が解決しようとする課題】
【０００５】
しかしながら、上記特許文献１に記載の技術では、上述したように、各可動フィンで偏向された気流の向きが固定フィンにより偏向前の状態に戻される程度が少なくなるものの、最近では、固定フィンにより偏向前の状態に戻される程度がより一層に少ないレジスタが求められるようになってきた。
【０００６】
そこで、本発明は、上述した点を鑑みてなされたものであり、リテーナの通風路内に送り込まれた空気の流れに対しなされた可動フィンによる偏向が固定フィンによる影響を受け難くすることで、ベゼルの空気吹出口から吹き出される空気の吹出方向の指向性を向上可能にしたレジスタを提供することを課題とする。
【課題を解決するための手段】
【０００７】
この課題を解決するためになされた請求項１に係る発明は、空気吹出口が形成されたベゼルと、前記ベゼルの空気吹出口に連通すると共に前記ベゼルの空気吹出口に向かう方向を通風方向とする通風路が形成されたリテーナと、前記リテーナの通風路内に送り込まれた空気が前記ベゼルの空気吹出口から吹き出す吹出方向を偏向させる平板状の可動フィンと、前記可動フィンの両端において前記通風方向下流側に設けられ、前記可動フィンを回動可能に支持する一対の回動軸と、前記一対の回動軸を結んだ軸線に沿って前記ベゼルの空気吹出口に設けられた固定フィンと、を有し、前記通風方向下流側にある前記可動フィンの縁辺部が前記通風方向上流側にある前記固定フィンの縁辺部と近接した離間状態にあるレジスタであって、前記可動フィンの両面が前記通風方向に沿って漸次弓なりに曲がった凹曲面であり、前記通風方向の前記可動フィンの中央付近で前記可動フィンのフィン厚が最小であり、前記可動フィンは、少なくとも３個以上設けられ、３個以上の前記可動フィンは、一方向に順番に並んで配置され、間に挟まれた前記可動フィンのうち少なくとも１個の可動フィンにおける前記通風方向に沿った幅を、他の可動フィンの通風方向に沿った幅に比べて短く形成されること、を特徴とする。
また、請求項２に係る発明は、空気吹出口が形成されたベゼルと、前記ベゼルの空気吹出口に連通すると共に前記ベゼルの空気吹出口に向かう方向を通風方向とする通風路が形成されたリテーナと、前記リテーナの通風路内に送り込まれた空気が前記ベゼルの空気吹出口から吹き出す吹出方向を偏向させる平板状の可動フィンと、前記可動フィンの両端において前記通風方向下流側に設けられ、前記可動フィンを回動可能に支持する一対の回動軸と、前記一対の回動軸を結んだ軸線に沿って前記ベゼルの空気吹出口に設けられた固定フィンと、を有し、前記通風方向下流側にある前記可動フィンの縁辺部が前記通風方向上流側にある前記固定フィンの縁辺部と近接した離間状態にあるレジスタであって、前記可動フィンの両面が前記通風方向に沿って漸次弓なりに曲がった凹曲面であり、前記通風方向の前記可動フィンの中央付近で前記可動フィンのフィン厚が最小であり、且つ、前記通風方向下流側にある前記可動フィンの前記縁辺部において前記可動フィンのフィン厚が最大となること、を特徴とするレジスタ。
【０００８】
また、請求項３に係る発明は、請求項１又は請求項２に記載するレジスタであって、前記通風方向に沿って切断された前記固定フィンの断面形状は、前記通風方向上流側から前記通風方向下流側に向かって先細りした形状であること、を特徴とする。
【０００９】
また、請求項４に係る発明は、請求項１乃至請求項３の何れかに記載するレジスタであって、前記通風方向下流側にある前記可動フィンの縁辺部と前記通風方向上流側にある前記固定フィンの縁辺部とは平行関係にあること、を特徴とする。
また、請求項５に係る発明は、請求項１乃至請求項４の何れかに記載するレジスタであって、前記可動フィンのフィン厚は、前記通風方向の前記可動フィンの中央付近で最小となり、前記中央付近から、前記固定フィンの前記縁辺部に近接する前記可動フィンの前記縁辺部へ向かうのに従って徐々に厚くなること、を特徴とするレジスタ。
また、請求項６に係る発明は、請求項１乃至請求項５の何れかに記載するレジスタであって、前記可動フィンの前記縁辺部は、前記固定フィンの前記縁辺部に向かって凸設された曲面を形成され、前記固定フィンの前記縁辺部は、前記可動フィンの前記縁辺部の形状に合わせて凹設された曲面を形成されること、を特徴とするレジスタ。
【発明の効果】
【００１０】
すなわち、請求項１に係る発明のレジスタでは、平板状の可動フィンと通風方向とが交差する場合には、リテーナの通風路内に送り込まれた空気の流れは、可動フィンの平面の一方に沿って、つまり、通風方向に沿って漸次弓なりに曲がった凹曲面であって、通風方向の可動フィンの中央付近で可動フィンのフィン厚が最小である凹曲面に沿って偏向され、ベゼルの空気吹出口から吹き出される。また、３個以上の可動フィンにおいて、間に挟まれた可動フィンのうち少なくとも１個の可動フィンにおける通風方向に沿った幅が、他の可動フィンの通風方向に沿った幅に比べて短くなる。これにより、リテーナの通風路内に送り込まれた空気の流れに対しなされた可動フィンによる偏向が固定フィンによる影響を受け難くすることで、ベゼルの空気吹出口から吹き出される空気の吹出方向の指向性を向上可能にする。
また、請求項２に係る発明のレジスタでは、平板状の可動フィンと通風方向とが交差する場合には、リテーナの通風路内に送り込まれた空気の流れは、可動フィンの平面の一方に沿って、つまり、通風方向に沿って漸次弓なりに曲がった凹曲面であって、通風方向の可動フィンの中央付近で可動フィンのフィン厚が最小である凹曲面に沿って偏向され、ベゼルの空気吹出口から吹き出される。これにより、リテーナの通風路内に送り込まれた空気の流れに対しなされた可動フィンによる偏向が固定フィンによる影響を受け難くすることで、ベゼルの空気吹出口から吹き出される空気の吹出方向の指向性を向上可能にする。さらに、可動フィンのフィン厚が中央付近で最小となり、且つ固定フィン側の縁辺部において最大となるため凹曲面で偏向した空気をより固定フィンから離すことができる。
【００１１】
また、請求項３に係る発明のレジスタでは、通風方向に沿って切断された固定フィンの断面形状は、通風方向上流側から通風方向下流側に向かって先細りした形状である。これにより、リテーナの通風路内に送り込まれた空気の流れに対しなされた可動フィンによる偏向が、より一層に、固定フィンによる影響を受け難くすることができる。
【００１２】
また、請求項４に係る発明のレジスタでは、通風方向下流側にある可動フィンの縁辺部と通風方向上流側にある固定フィンの縁辺部とは平行関係にある。このような構成により、他機種のレジスタに対する可動フィンの共用化を図りつつ、通風方向下流側にある固定フィンの縁辺部の形状を変えることができる。
また、請求項５に係る発明のレジスタでは、可動フィンのフィン厚を中央付近から縁辺部へ向かうのに従って徐々に厚くすることで、可動フィンで偏向した空気を固定フィンからより確実に離すことができる。
また、請求項６に係る発明のレジスタでは、可動フィンの縁辺部を凸曲面とし、固定フィンの縁辺部を凹曲面とすることで、可動フィンと固定フィンをより近接させることができる。
【図面の簡単な説明】
【００１３】
【図１】本発明の一実施形態に係るレジスタの斜視図である。
【図２】同レジスタの正面図である。
【図３】同レジスタの背面図である。
【図４】同レジスタの右側面図である。
【図５】同レジスタの左側面図である。
【図６】同レジスタの平面図である。
【図７】同レジスタの底面図である。
【図８】同レジスタのベゼルが描かれた正面側斜視図である。
【図９】同レジスタのベゼルが描かれた背面側斜視図である。
【図１０】同レジスタのベゼルが描かれた正面図である。
【図１１】同レジスタのベゼルが描かれた平面図である。
【図１２】同レジスタのベゼルが描かれた側面図である。
【図１３】同レジスタの前フィンが描かれた正面側斜視図である。
【図１４】同レジスタの前フィンが描かれた背面側斜視図である。
【図１５】同レジスタの前フィンが描かれた正面図である。
【図１６】同レジスタの前フィンが描かれた平面図である。
【図１７】同レジスタの前フィンが描かれた側面図である。
【図１８】同レジスタの前フィン群が描かれた正面側斜視図である。
【図１９】同レジスタの前フィン群が描かれた正面図である。
【図２０】同レジスタの前フィン群が描かれた平面図である。
【図２１】同レジスタの前フィン群が描かれた側面図である。
【図２２】同レジスタの前フィン枠が描かれた正面側斜視図である。
【図２３】同レジスタの前フィン枠が描かれた正面図である。
【図２４】同レジスタの前フィン枠が描かれた平面図である。
【図２５】同レジスタの前フィン枠が描かれた側面図である。
【図２６】同レジスタの前フィン枠が前フィン群を嵌め込んだ状態で描かれた正面側斜視図である。
【図２７】同レジスタの前フィン枠が前フィン群を嵌め込んだ状態で描かれた正面図である。
【図２８】同レジスタの前フィン枠が前フィン群を嵌め込んだ状態で描かれた平面図である。
【図２９】同レジスタの前フィン枠が前フィン群を嵌め込んだ状態で描かれた側面図である。
【図３０】同レジスタのベゼルが前フィン枠を嵌め込んだ状態で描かれた正面側斜視図である。
【図３１】同レジスタのベゼルが前フィン枠を嵌め込んだ状態で描かれた背面側斜視図である。
【図３２】同レジスタのベゼルが前フィン枠を嵌め込んだ状態で描かれた正面図である。
【図３３】同レジスタのベゼルが前フィン枠を嵌め込んだ状態で描かれた平面図である。
【図３４】同レジスタのベゼルが前フィン枠を嵌め込んだ状態で描かれた側面図である。
【図３５】同レジスタが図２の線Ｃ−Ｃで切断された断面図である。
【図３６】同レジスタの固定フィンと前フィンが図２の線Ｂ−Ｂで切断された断面図であって、前フィンをニュートラルにしたときの図である。
【図３７】前フィンを上向きにしたときの同レジスタの背面図である。
【図３８】前フィンを下向きにしたときの同レジスタの背面図である。
【図３９】（ａ）は、同レジスタが図２の線Ｂ−Ｂで切断された断面図であって、前フィンを上向きにしたときの図である。（ｂ）は、同レジスタが図２の線Ｂ−Ｂで切断された断面図であって、前フィンを下向きにしたときの図である。（ｃ）は、同レジスタが図２の線Ｂ−Ｂで切断された断面図であって、前フィンをニュートラルにしたときの図である。
【図４０】図３９に空気の流れが描かれた図である。
【図４１】同レジスタが図２の線Ａ−Ａで切断された断面図である。
【図４２】同レジスタが図２の線Ａ−Ａで切断された断面図であって、固定フィンの変形例が描かれた図である。
【発明を実施するための形態】
【００１４】
［１．レジスタ］
以下、本発明を具体化した一実施形態に基づき、本発明に係るレジスタについて図面を参照しつつ説明する。図１乃至図７に基づき、本実施形態に係るレジスタの概略構成について説明する。
【００１５】
図１の斜視図に表されたように、本実施形態に係るレジスタ１は、ベゼル２とリテーナ３を有する。ベゼル２には、空気吹出口２１と４本の固定フィン２２が形成される。空気吹出口２１には、各固定フィン２２が等間隔を保ちながら横方向にそれぞれ渡し設けられる。
【００１６】
各固定フィン２２の奥には、各前フィン４１が各固定フィン２２に沿って横方向にそれぞれ設けられる。各前フィン４１は、回動可能に支持される。各前フィン４１の詳細な構成については、後述する。上側から２番目の固定フィン２２には、上側から２番目の前フィン４１とともに、操作ノブ（図示しない）が差し込まれる。
【００１７】
図２の正面図や図３の背面図に表されたように、各前フィン４１の奥には、６本の後フィン６１が等間隔を保ちながら縦方向にそれぞれ設けられる。各後フィン６１の上端には、連結軸６２がそれぞれ設けられる。各連結軸６２は、連結ロッド６３に軸支される。
【００１８】
図３の右側（つまり、図２の左側）から３番目の後フィン６１には、一対の突片部６４が設けられる。一対の突片部６４には、連係棒６５が設けられる。一方、操作ノブの奥には、一対の連係片（図示せず）が設けられ、一対の連係片には、連係棒６５が摺動可能な状態で挟装される。尚、かかる連結機構は公知であり、ここでは説明を省略する。
【００１９】
尚、図２や図３の符号４５の構成要素については、後述する。また、図３の符号２３，２４，２５，４３，４４の各構成要素についても、後述する。
【００２０】
各後フィン６１の上下端には、図４や図５の両側面図に表されたように、一対の回動軸６６がリテーナ３に軸支されるようにして、それぞれ設けられる。つまり、６本の後フィン６１は、図６の平面図や図７の底面図に表されたように、一対の回動軸６６がリテーナ３の上下で軸支されることによって、回動可能に支持される。
【００２１】
６本の後フィン６１では、操作ノブが横方向に操作されると、操作ノブの連係片と後フィン６１の連係棒６５や突片部６４とを介して、操作ノブの動作が図３の右側（つまり、図２の左側）から３番目の後フィン６１に伝達される。その伝達により、図３の右側（つまり、図２の左側）から３番目の後フィン６１が回動すると、各連結軸６２と連結ロッド６３とを介して、他の後フィン６１も同時に同じ方向に回動する。これにより、全ての後フィン６１は、同じ方向の横向き状態になる。
【００２２】
図６の平面図に表されたように、一対の上側係合片２３がベゼル２に設けられ、一対の上側ベゼル支持部３１がリテーナ３に設けられる。図７の底面図に表されたように、一対の下側係合片２４がベゼル２に設けられ、一対の下側ベゼル支持部３２がリテーナ３に設けられる。一対の上側係合片２３が一対の上側ベゼル支持部３１に係着されるとともに、一対の下側係合片２４が一対の下側ベゼル支持部３２に係着されることにより、ベゼル２とリテーナ３とが固定される。
【００２３】
［２．ベゼル］
図８の正面側斜視図、図９の背面側斜視図、及び図１０乃至図１２の三面図に表されたように、ベゼル２には、空気吹出口２１と４本の固定フィン２２が形成される。空気吹出口２１には、各固定フィン２２が等間隔を保ちながら横方向にそれぞれ渡し設けられる。ベゼル２の背面には、一対の上側係合片２３と一対の下側係合片２４とが設けられる。
【００２４】
特に、図９の背面側斜視図に表されたように、ベゼル２の背面には、空気吹出口２１の周りを取り囲んだ囲繞リブ２５が設けられる。囲繞リブ２５内では、各固定フィン２２の両端側において、各凹状嵌合部２６がそれぞれ設けられる。一対の上側係合片２３と一対の下側係合片２４は、囲繞リブ２５の一部として形成される。
【００２５】
［３．前フィン／前フィン群］
図１３の正面側斜視図、図１４の背面側斜視図、及び図１５乃至図１７の三面図に表されたように、前フィン４１は、横方向に長い平板形状を有する。前フィン４１の横方向の両端Ｅ１，Ｅ２では、正面側に片寄った位置に、一対の回動軸４２が設けられる。前フィン４１の横方向の一端Ｅ１では、切欠部４３が形成される。切欠部４３には、連結軸４４が設けられる。
【００２６】
各前フィン４１では、図１８の正面側斜視図や図１９乃至図２１の三面図に表されたように、各連結軸４４が連結ロッド４５にそれぞれ軸支される。これにより、４本の前フィン４１が連結された前フィン群４６が組み立てられる。
【００２７】
尚、図２１の側面図に表されたように、４本の前フィン４１の奥行Ｄについては、上側から１番目・４番目の前フィン４１が上側から２番目・３番目の前フィン４１よりも長い。
【００２８】
［４．前フィン枠］
図２２の正面側斜視図や図２３乃至図２５の三面図に表されたように、長方形状の前フィン枠７１では、短辺側の両端上に、４個の凸状嵌合部７２が等間隔でそれぞれ形成される。各凸状嵌合部７２では、各軸孔７３がそれぞれ形成される。短辺側の一端上にある４個の軸孔７３は、短辺側の他端上にある４個の軸孔７３にそれぞれ向かい合う。
【００２９】
前フィン枠７１には、図２６の正面側斜視図や図２７乃至図２９の三面図に表されたように、前フィン群４６が嵌め込まれる。連結ロッド４５の一部が前フィン枠７１内に収まるように、各前フィン４１の一対の回動軸４２が前フィン枠７１の両端上の各軸孔７３にそれぞれ差し込まれる。これにより、各前フィン４１は、横方向に等間隔を保ちながら回動可能に支持される。
【００３０】
前フィン群４６が嵌め込まれた前フィン枠７１は、図３０の正面側斜視図、図３１の背面側斜視図、及び図３２乃至図３４の三面図に表されたように、ベゼル２の囲繞リブ２５内に嵌め込まれる（特に、図１の正面側斜視図参照）。
【００３１】
［５．固定フィンと前フィンの位置関係］
この状態にあるベゼル２がリテーナ３に固定される。このときには、図３５の断面図（つまり、本実施形態に係るレジスタ１が上記図２の線Ｃ−Ｃで切断された断面図）で表したように、ベゼル２の囲繞リブ２５内の各凹状嵌合部２６（上記図９参照）に、前フィン枠７１の各凸状嵌合部７２（上記図２２等参照）がそれぞれ嵌め込まれている。従って、ベゼル２の囲繞リブ２５内の各凹状嵌合部２６（上記図９参照）には、前フィン４１の回動軸４２がそれぞれ位置する。
【００３２】
このような構成により、図３６の断面図（つまり、固定フィン２２と前フィン４１が上記図２の線Ｂ−Ｂで切断された断面図）に表されたように、互いに隣り合う固定フィン２２と前フィン４１は、常に、近接した状態にあり、且つ、所定間隔Ｐを凹凸曲面で保った離間状態にある。さらに、図３６の断面図に表されたように、前フィン４１がニュートラル状態にある場合には、前フィン４１は、固定フィン２２に対して傾きのない状態にある。
【００３３】
［６．固定フィンの断面形状］
固定フィン２２の断面については、上記図３６の断面図に表されたように、固定フィン２２と前フィン４１とが近接する側では双方とも上下方向の厚みがほぼ同じであるが、前フィン４１から離れるに連れて固定フィン２２の上下方向の厚みは小さくなっていく形状である。
【００３４】
［７．前フィンの断面形状］
上記図３６に表された前フィン４１の断面は、前フィン４１の奥行Ｄの方向に沿って切断した前フィン４１の断面である。前フィン４１の断面については、上記図３６の断面図に表されたように、その断面を構成する上面４１Ａと下面４１Ｂが、漸次弓なりに曲がっている凹曲面（所謂「えぐり形状」）である。さらに、前フィン４１のフィン厚は、前フィン４１の奥行Ｄの方向の中央付近Ｑで最小である。
【００３５】
［８．前フィンの操作］
上記図３０の正面側斜視図、上記図３１の背面側斜視図、及び上記図３２乃至図３４の三面図に表されたように、上側から２番目の固定フィン２２には、上側から２番目の前フィン４１とともに、操作ノブが差し込まれている。このとき、操作ノブに設けられた一対の連係片には、上記図３の背面図に表されたように、後フィン６１の連係棒６５が摺動可能な状態で挟装される。
【００３６】
従って、操作ノブが上向き方向に操作されると、操作ノブの動作が上側から２番目の前フィン４１に伝達される。その伝達により、上側から２番目の前フィン４１が回動すると、各連結軸４４と連結ロッド４５とを介して、他の前フィン４１も同時に同じ方向に回動する。これにより、図３７の背面図や図３９（ａ）の断面図（つまり、本実施形態に係るレジスタ１が上記図２の線Ｂ−Ｂで切断された断面図）に表されたように、全ての前フィン４１が上向き状態になる。
【００３７】
これに対して、操作ノブが下向き方向に操作されると、操作ノブの動作が上側から２番目の前フィン４１に伝達される。その伝達により、上側から２番目の前フィン４１が回動すると、各連結軸４４と連結ロッド４５とを介して、他の前フィン４１も同時に同じ方向に回動する。これにより、図３８の背面図や図３９（ｂ）の断面図（つまり、本実施形態に係るレジスタ１が上記図２の線Ｂ−Ｂで切断された断面図）に表されたように、全ての前フィン４１が下向き状態になる。
【００３８】
さらに、操作ノブが上向き方向又は下向き方向からニュートラルポジションまで操作されると、操作ノブの動作が上側から２番目の前フィン４１に伝達される。その伝達により、上側から２番目の前フィン４１が回動すると、各連結軸４４と連結ロッド４５とを介して、他の前フィン４１も同時に同じ方向に回動する。これにより、上記図３の背面図や図３９（ｃ）の断面図（つまり、本実施形態に係るレジスタ１が上記図２の線Ｂ−Ｂで切断された断面図）に表されたように、全ての前フィン４１がニュートラル状態になる。
【００３９】
［９．レジスタにおける空気の流れ］
本実施形態に係るレジスタ１では、上記図３９（ａ）（ｂ）（ｃ）の断面図（つまり、本実施形態に係るレジスタ１が上記図２の線Ｂ−Ｂで切断された断面図）に表されたように、リテーナ３の通風路３Ａ内に送り込まれた空気は、ベゼル２の空気吹出口２１に向かう方向である通風方向Ｘに流れる。ベゼル２の空気吹出口２１に向かって流れる空気は、ベゼル２の空気吹出口２１から吹き出す。その吹出方向は、全ての前フィン４１の状態に応じて、偏向する。
【００４０】
上記図３９（ａ）の断面図（つまり、本実施形態に係るレジスタ１が上記図２の線Ｂ−Ｂで切断された断面図）に表されたように、全ての前フィン４１が上向き状態にある場合には、リテーナ３の通風路３Ａ内でベゼル２の空気吹出口２１（通風方向Ｘ）に向かって流れる空気は、ベゼル２の空気吹出口２１から吹出方向Ｙ１へ偏向して吹き出される。
【００４１】
具体的には、本実施形態に係るレジスタ１では、全ての前フィン４１が上向き状態にある場合には、図４０（ａ）に表された矢印のように偏向された空気が流れる。この点、前フィン４１の下面４１Ｂ（上記図３６参照）の凹曲面（所謂「えぐり形状」）から離れた空気の流れを表す矢印は、当該前フィン４１の下側にある前フィン４１の上面４１Ａ（上記図３６参照）の凹曲面（所謂「えぐり形状」）に沿った空気の流れを表す矢印により接近し、固定フィン２２からより離れる。このようにして、上向きの指向性が優れた空気が流れる。
【００４２】
上記図３９（ｂ）の断面図（つまり、本実施形態に係るレジスタ１が上記図２の線Ｂ−Ｂで切断された断面図）に表されたように、全ての前フィン４１が下向き状態にある場合には、リテーナ３の通風路３Ａ内でベゼル２の空気吹出口２１（通風方向Ｘ）に向かって流れる空気は、ベゼル２の空気吹出口２１から吹出方向Ｙ２へ偏向して吹き出される。
【００４３】
具体的には、本実施形態に係るレジスタ１では、全ての前フィン４１が下向き状態にある場合には、図４０（ｂ）に表された矢印のように偏向された空気が流れる。この点、前フィン４１の上面４１Ａ（上記図３６参照）の凹曲面（所謂「えぐり形状」）から離れた空気の流れを表す矢印は、当該前フィン４１の上側にある前フィン４１の下面４１Ｂ（上記図３６参照）の凹曲面（所謂「えぐり形状」）に沿った空気の流れを表す矢印により接近し、固定フィン２２からより離れる。このようにして、下向きの指向性が優れた空気が流れる。
【００４４】
上記図３９（ｃ）の断面図（つまり、本実施形態に係るレジスタ１が上記図２の線Ｂ−Ｂで切断された断面図）に表されたように、全ての前フィン４１がニュートラル状態にある場合には、リテーナ３の通風路３Ａ内でベゼル２の空気吹出口２１（通風方向Ｘ）に向かって流れる空気は、ベゼル２の空気吹出口２１から通風方向Ｘとは平行な吹出方向Ｙ３へ吹き出される。
【００４５】
具体的には、本実施形態に係るレジスタ１では、全ての前フィン４１がニュートラル状態にある場合には、図４０（ｃ）に表された矢印のように空気が流れる。この点、各前フィン４１の上面４１Ａ（上記図３６参照）や下面４１Ｂ（上記図３６参照）の各凹曲面（所謂「えぐり形状」）から離れた空気の流れを表す矢印は、固定フィン２２からも離れ、ニュートラルに指向された空気が流れる。
【００４６】
尚、図４０の断面図では、空気の流れを表す矢印を明確にするため、切断面を表す平行斜線を省略した。
【００４７】
［１０．まとめ］
先ず、上記図１乃至上記図４０を参照して説明された本実施形態に係るレジスタ１の構成について、図４１の断面図（つまり、本実施形態に係るレジスタ１が上記図２の線Ａ−Ａで切断された断面図）を参照して改めて説明する。
【００４８】
図４１の断面図は、各前フィン４１がニュートラル状態にある本実施形態に係るレジスタ１を上記図２の線Ａ−Ａで切断した断面図である。図４１の断面図に表されたように、本実施形態に係るレジスタ１は、ベゼル２、リテーナ３、前フィン４１、一対の回動軸４２、及び固定フィン２２を有する。
【００４９】
ベゼル２は、空気吹出口２１が形成される。リテーナ３は、ベゼル２の空気吹出口２１に連通すると共にベゼル２の空気吹出口２１に向かう方向を通風方向Ｘとする通風路３Ａが形成される。前フィン４１は、平板状であり、リテーナ３の通風路３Ａ内に送り込まれた空気がベゼル２の空気吹出口２１から吹き出す吹出方向Ｙ３を偏向させる。一対の回動軸４２は、前フィン４１の両端Ｅ１，Ｅ２において通風方向Ｘの下流側に設けられ、前フィン４１を回動可能に支持する。
【００５０】
固定フィン２２は、一対の回動軸４２を結んだ軸線４２Ａに沿ってベゼル２の空気吹出口２１に設けられる。さらに、通風方向Ｘの下流側にある前フィン４１の縁辺部４１Ｃは、通風方向Ｘの上流側にある固定フィン２２の縁辺部２２Ａと近接した離間状態にある（上記図３６参照）。この構成は、前フィン４１を回動可能に支持する一対の回動軸４２が前フィン枠７１に差し込まれ、さらに、前フィン枠７１がベゼル２の囲繞リブ２５に嵌め込まれることにより、実現される。
【００５１】
次に、前フィン４１の構成は、上記図３６に表したように、上面４１Ａ及び下面４１Ｂが通風方向Ｘ（上記図４１等参照／ニュートラル状態にある前フィン４１の奥行Ｄの方向と平行な方向）に沿って漸次弓なりに曲がった凹曲面（所謂「えぐり形状」）であり、通風方向Ｘ（上記図４１等参照／ニュートラル状態にある前フィン４１の奥行Ｄの方向と平行な方向）の前フィン４１の中央付近Ｑで前フィン４１のフィン厚が最小である。
【００５２】
よって、本実施形態に係るレジスタ１では、平板状の前フィン４１と通風方向Ｘとが交差する場合（上記図３９（ａ）（ｂ）参照）には、リテーナ３の通風路３Ａ内に送り込まれた空気の流れは、前フィン４１の上面４１Ａ又は下面４１Ｂに沿って、ベゼル２の空気吹出口２１から吹き出される（上記図４０（ａ）（ｂ）参照）。
【００５３】
つまり、リテーナ３の通風路３Ａ内に送り込まれた空気の流れは、ニュートラル状態では通風方向Ｘに沿って漸次弓なりに曲がった前フィン４１の凹曲面（所謂「えぐり形状」）であって、ニュートラル状態では通風方向Ｘの中央付近Ｑでフィン厚が最小である前フィン４１の凹曲面（所謂「えぐり形状」）に沿って偏向され、ベゼル２の空気吹出口２１から吹き出される。これにより、リテーナ３の通風路３Ａ内に送り込まれた空気の流れに対しなされた前フィン４１による偏向が固定フィン２２による影響を受け難くなり、ベゼル２の空気吹出口２１から吹き出される空気の吹出方向Ｙ１，Ｙ２の指向性を向上可能にする。
【００５４】
また、本実施形態に係るレジスタ１では、通風方向Ｘに沿って切断された固定フィン２２の断面形状は、通風方向Ｘの上流側から通風方向Ｘの下流側に向かって先細りした形状である（上記図３９等参照）。これにより、リテーナ３の通風路３Ａ内に送り込まれた空気の流れに対しなされた前フィン４１による偏向が、より一層に、固定フィン２２による影響を受け難くすることができる。
【００５５】
また、本実施形態に係るレジスタ１では、通風方向Ｘの下流側にある前フィン４１の縁辺部４１Ｃと通風方向Ｘの上流側にある固定フィン２２の縁辺部２２Ａとは、どこまで延長しても交わらない平行関係にある（上記図４１参照）。
【００５６】
従って、例えば、図４２に表されたように、上記平行関係に何ら影響を及ぼさない通風方向Ｘの下流側にある固定フィン２２の縁辺部２２Ｂの形状をラウンド状に変えることができる。つまり、本実施形態に係るレジスタ１は、他機種のレジスタに対する前フィン４１の共用化を図りつつも、通風方向Ｘの下流側にある固定フィン２２の縁辺部２２Ｂの形状を変えることができる。
【００５７】
［１１．その他］
尚、本発明は上記実施形態に限定されるものでなく、その趣旨を逸脱しない範囲で様々な変更が可能である。
例えば、本実施形態に係るレジスタ１では、固定フィン２２や前フィン４１が横方向であり後フィン６１が縦方向であるが、逆に、固定フィン２２や前フィン４１が縦方向であり後フィン６１が横方向であってもよい。
【符号の説明】
【００５８】
１    レジスタ
２    ベゼル
３    リテーナ
３Ａ  通風路
２１    空気吹出口
２２    固定フィン
２２Ａ  通風方向の上流側にある固定フィンの縁辺部
２２Ｂ  通風方向の下流側にある固定フィンの縁辺部
４１    前フィン
４１Ａ  前フィンの上面
４１Ｂ  前フィンの下面
４１Ｃ  通風方向の下流側にある前フィンの縁辺部
４２    一対の回動軸
４２Ａ  軸線
Ｅ１，Ｅ２  前フィンの横方向の両端
Ｘ    通風方向
Ｙ１，Ｙ２，Ｙ３  吹出方向
【図１】
0006387140.tif 000002
【図２】
0006387140.tif 000003
【図３】
0006387140.tif 000004
【図４】
0006387140.tif 000005
【図５】
0006387140.tif 000006
【図６】
0006387140.tif 000007
【図７】
0006387140.tif 000008
【図８】
0006387140.tif 000009
【図９】
0006387140.tif 000010
【図１０】
0006387140.tif 000011
【図１１】
0006387140.tif 000012
【図１２】
0006387140.tif 000013
【図１３】
0006387140.tif 000014
【図１４】
0006387140.tif 000015
【図１５】
0006387140.tif 000016
【図１６】
0006387140.tif 000017
【図１７】
0006387140.tif 000018
【図１８】
0006387140.tif 000019
【図１９】
0006387140.tif 000020
【図２０】
0006387140.tif 000021
【図２１】
0006387140.tif 000022
【図２２】
0006387140.tif 000023
【図２３】
0006387140.tif 000024
【図２４】
0006387140.tif 000025
【図２５】
0006387140.tif 000026
【図２６】
0006387140.tif 000027
【図２７】
0006387140.tif 000028
【図２８】
0006387140.tif 000029
【図２９】
0006387140.tif 000030
【図３０】
0006387140.tif 000031
【図３１】
0006387140.tif 000032
【図３２】
0006387140.tif 000033
【図３３】
0006387140.tif 000034
【図３４】
0006387140.tif 000035
【図３５】
0006387140.tif 000036
【図３６】
0006387140.tif 000037
【図３７】
0006387140.tif 000038
【図３８】
0006387140.tif 000039
【図３９】
0006387140.tif 000040
【図４０】
0006387140.tif 000041
【図４１】
0006387140.tif 000042
【図４２】
0006387140.tif 000043